(57)【特許請求の範囲】
【請求項１】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、前記少なくとも一つの案内ピンと前記正面位置決めローラとは、前記帯状スペーサシーリング材を布設するための案内路を形成し、前記圧下ローラは前記帯状スペーサシーリング材を前記板ガラス上に取り付けるための圧力を与える筐体と、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と
を備える装置。
【請求項２】
前記筐体の内部に配置されるか又はこれに取付けられており、少なくとも一つの照準ポートと、少なくとも一つの指示光を投光することができる光源発生器とを有する照準システムをさらに備える請求項１に記載の装置。
【請求項３】
前記少なくとも一つの案内ピンから横方向にずらして配置されており、前記筐体に取付けられているアンビルと、
前記アンビルの反対側に位置し、前記筐体の切断刃スロットに少なくとも部分的に収容されて往復動できる切断刃と、
前記帯状スペーサシーリング材を切断するとともに前記切断刃を引込めるために、前記切断刃を前記アンビルに向けて移動させるべく前記切断刃と通信する切断刃作動手段と、
をさらに備える請求項２に記載の装置。
【請求項４】
板ガラスに沿って粘着帯状材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、その内部に切断手段を有し、前記少なくとも一つの案内ピンと前記正面位置決めローラとは前記粘着帯状材を布設するための案内路を形成し、前記圧下ローラは前記粘着帯状材を前記板ガラス上に取り付けるための圧力を与える筐体と、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と、
前記筐体に取付けられており、少なくとも一つの照準ポートと少なくとも一つの指示光を投光することができる光源発生器とを有する照準システムと
を備える装置。
【請求項５】
前記少なくとも一つの案内ピンから横方向にずらして配置されており、前記筐体に取付けられているアンビルと、
前記アンビルの反対側に位置し、前記筐体の切断刃ガイドに少なくとも部分的に収容されて往復動できる切断刃と、
前記粘着帯状材を切断するとともに前記切断刃を引込めるために、前記切断刃を前記アンビルに向けて往復させるべく前記切断刃と通信する切断刃作動手段と
をさらに備える請求項４に記載の装置。
【請求項６】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、その内部に切断手段を有し、前記少なくとも一つの案内ピンと前記正面位置決めローラとは前記帯状スペーサシーリング材を布設するための案内路を形成し、前記圧下ローラは前記帯状スペーサシーリング材を前記板ガラス上に取り付けるための圧力を与える筐体と、
前記筐体に取付けられており、少なくとも一つの照準ポートと少なくとも一つの指示光を投光することができる光源発生器とを有する照準システムと、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と
を備える装置。
【請求項７】
前記少なくとも一つの案内ピンから横方向にずらして配置されて、前記筐体に取付けられているアンビルと、
前記アンビルの反対側に位置し、前記筐体の切断刃ガイドに少なくとも部分的に収容されて往復動できる切断刃と、
前記帯状スペーサシーリング材を切断するとともに前記切断刃を引込めるために、前記切断刃を前記アンビルに向けて往復させるべく前記切断刃と通信する切断刃作動手段と
をさらに備える請求項６に記載の装置。
【請求項８】
前記照準システムは、前記装置が前記帯状スペーサシーリング材を切り欠くために前記板ガラスの角の所定の位置にあるときに指示する第１の指示光と、
前記装置が前記角を曲がるために所定の位置にあるときに指示する第２の指示光と
をさらに備える請求項２に記載の装置。
【請求項９】
前記照準システムは、前記装置が前記粘着帯状材を切り欠くために前記板ガラスの角の所定の位置にあるときに指示する第１の指示光と、
前記装置が前記角を曲がるために所定の位置にあるときに指示する第２の指示光と
をさらに備える請求項４に記載の装置。
【請求項１０】
前記照準システムは、前記装置が前記帯状スペーサシーリング材を切り欠くために前記板ガラスの角の所定の位置にあるときに指示する第１の指示光と、
前記装置が前記角を曲がるために所定の位置にあるときに指示する第２の指示光と
をさらに備える請求項６に記載の装置。
【請求項１１】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、前記少なくとも一つの案内ピンと前記正面位置決めローラとは、前記帯状スペーサシーリング材を布設するための案内路を形成し、前記圧下ローラは前記帯状スペーサシーリング材を前記板ガラス上に取り付けるための圧力を与える筐体と、
前記装置が前記粘着帯状材を切り欠くために前記板ガラスの角の所定の位置にあるときに指示する第１の指示光と前記装置が前記角を曲がるために所定の位置にあるときに指示する第２の指示光とを備える前記筐体に取り付けられた照準システムと
を備える装置。
【請求項１２】
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されている案内板をさらに備える請求項１１に記載の装置。
【請求項１３】
前記調節可能な案内板が前記少なくとも２つの案内ローラの前記板ガラスの端部からの距離を増減すべく調節可能になっている請求項１２に記載の装置。
【請求項１４】
前記少なくとも一つの案内ピンから横方向にずらして配置されており、前記筐体に取付けられているアンビルと、
前記アンビルの反対側に位置し、前記筐体の切断刃ガイドに少なくとも部分的に収容されて往復動できる切断刃と、
帯状スペーサシーリング材を切断するとともに前記切断刃を引込めるために、前記切断刃を前記アンビルに向けて往復させるべく前記切断刃と通信する切断刃作動手段と
をさらに備える請求項１１に記載の装置。
【発明の詳細な説明】
【技術分野】
【０００１】
本発明は、複層ガラスユニットの組み立ての際に帯状スペーサシーリング材を位置決めすることが一つの作業段階として含まれる場合に、帯状スペーサシーリング材等の粘着帯状材を板ガラスの周辺端部に布設するための装置に関する。
【技術背景】
【０００２】
一般に、複層窓構造を組み立てる手順は、１枚の、例えばガラス張り構造体をもう１枚のガラス張り構造体の上に、これら２つの構造体の周辺に沿って配置された間隔保持及び密閉手段を用いて、間隔をあけて固定する関係で配置する作業を含み、これにより、２つの構造の間に密封された空間を有するサンドイッチ状の構造体を形成する。その密封された空間は高い断熱性能を提供する。しかし、窓の製造の際には、特に、帯状スペーサシーリング材を位置決めしつつ取り付ける問題が存在する。
【０００３】
ガラス張り構造体間の適切な間隔を維持するためには、硬い帯状スペーサを枠状に形成し、適切な間隔を維持すべく２つの構造間に配置する。その後、このスペーサ枠と２つのガラス張り構造の端部によって形成される溝にシーリング材組成物を注入する。あるいは、硬いスペーサにあらかじめシーリング剤を塗布しておき、これをガラス張り構造体間の空間に設置して断熱窓構造を形成することができる。
【０００４】
帯状スペーサシーリング材は、１つの帯状材を中断することなく板ガラスの全周に沿って取り回し、また角で曲げることができる柔軟性を備えているため、連続したものとすることができる、。柔軟なスペーサを利用する際、柔軟性の度合いは、スペーサが角の周りに曲げられるのに十分である必要がある。スペーサが十分に柔軟でない場合、この屈曲を容易にするためには、スペーサを切るかまたは切欠く必要がある。一方、一つの連続した帯状材を手で取り付ける場合、特に揃った角を形成するために、また角に切欠きが必要な場合にはその切欠きを適切に形成するために、取付け作業者側にかなりの能力を必要とすることがある。また、連続した帯状スペーサが板ガラスに不正確に設置された場合には、その帯状スペーサを取り外して配置し直す必要があるかもしれない。
【０００５】
断熱窓ユニットを組み立てまたは製造する際の従来の一手順では、１つの角から出発して粘着片、通常は帯状スペーサシーリング材を、ガラス張り構造の周辺端部に沿って取付け、必要に応じて角を形成し、最後の角を形成した後に定寸に帯状材を切り、その後第２のガラス張り構造を上に載せて、帯状スペーサシーリング材で２つのガラス張り構造を互いに離隔して保持するパネルを形成する。
【０００６】
帯状スペーサシーリング材を手で取り付けるには時間がかかり、帯状スペーサシーリング材の位置合わせが質の悪い又は一貫性のないものとなる。また、製造者は帯状スペーサシーリング材を板ガラスに付着させるために手で圧力を加える必要がある。この圧力が均一でないと、帯状スペーサシーリング材の板ガラスへの付着にむらが生じる。
【０００７】
これらの問題の一部を軽減するために、帯状スペーサシーリング材を板ガラスに布設するために取り付け工具が利用されてきた。これらの工具は、帯状スペーサシーリング材を工具に挿通する必要があり、組立品が完成するまで工具に挿通した状態でなければならない。取り付け工具には、配置ミスした挿通状態の帯状材を正しい位置に戻すことが難しいものが多いが、これは断熱ガラスユニット製作中に、この装置を帯状スペーサシーリング材から簡単に離して、再配置することができないためである。代わりに、工具は帯状材の上を通って配置ミスのあった位置に戻してから、帯状材を正しい位置に戻す必要がある。これはたいてい不可能であり、製作者は配置ミスした帯状材を廃棄せざるをえなくなる。さらに、多くの工具は、帯状スペーサシーリング材が角で曲がるための切欠きを設ける位置を判断する能力を備えていない。
【発明の開示】
【発明が解決しようとする課題】
【０００８】
本発明の一つの目的は、板ガラスの周辺端部に沿って帯状スペーサシーリング材を簡単に取り付ける工具を提供することである。
【０００９】
本発明のさらにもう一つの目的は、ガラス部材の端部とシーリング材／帯状スペーサ間の距離を変えるための案内板と関連案内ローラを提供することである。
【００１０】
本発明のさらなる目的は、調節可能な圧下ローラと帯状スペーサシーリング材のさまざまな厚さ又はゲージに対応すべく調節可能な正面位置決めローラを提供することである。
【課題を解決するための手段】
【００１１】
本発明の１つの実施形態では、板ガラスの表面又は板ガラスに隣接する部材の周囲に帯状の材料を取り付け、必要に応じて帯状の材料を正しい位置に戻すことのできる、手動取付工具を提供する。
【００１２】
さらに、本発明の別の実施形態において、手動取付工具は一連のピン及びローラによって形成される案内路を備え、これにより、板ガラス周辺に沿って正確な配置を可能にし、帯状スペーサシーリング材に角を正確に形成することを可能にし、帯状材を板ガラスの上に接触させるための均一な下向き圧力を加えて、板ガラスに不適切に配置された帯状スペーサシーリング材をより簡単に正しい位置に戻すための手段を提供する。
【００１３】
別の実施形態では、帯状スペーサシーリング材が角を形成する及び／又は曲がるための切欠きを入れる位置の利用者の判断を補助するために、表示灯を点灯することのできる照準システムが提供される。
【００１４】
さらに別の実施形態では、角を形成するために帯状スペーサシーリング材に切欠きを入れる又は切るための切断装置が提供される。
【００１５】
本発明の他の目的及び別の適用範囲は、下記の詳細な記述により明らかになるであろう。しかし、本発明の精神と範囲内の種々の変更及び改良は当業者に明らかになるであろうから、この詳細な説明には本発明の好適な実施形態を示すが、これらは例としてのみあげられることを理解されたい。
【発明を実施するための最良の形態】
【００１６】
次に図面を参照すると、図１には、本発明の手動取付工具１６によって帯状スペーサシーリング材１４を板ガラス１２の周辺端部に沿って布設できるように、板ガラス１２が上に配置されている作業机１０が示されている。次に、引き続き、断熱ガラスユニット（「ＩＧＵ」）を形成するために、第２の板ガラスが帯状スペーサシーリング材１４の上面に配置される。
【００１７】
本発明の手動取付工具１６は、通常１６として示すが、一端が筐体２０に、そして反対の端部が取っ手支持材２２に結合した取っ手１８を有する。次に取っ手支持材２２はベースプレート２４に結合する。図２、図３、図４に最もよく示すように、ベースプレートは、取っ手支持材２２と反対側のベースプレート２４の端部に、ベースプレートブラケット２６を有する。
【００１８】
ベースプレートブラケット２６は、ベースプレート２４と別個の部品として接合されてもよく又一体であってもよい。図示の通り、ベースプレートブラケット２６は、通常ベースプレート２４に結合する下側部と筐体２０に接合して該筐体を支持する上側部とを有する。このようにして、これらの部品は手動取付工具１６の枠組を形成する。
【００１９】
筐体２０と反対側の取っ手１８の端部には、切断装置を作動させるための空気ホース等の圧送空気の供給源に結合することのできる、空気注入ノズル２８がある。当然のことながら、当業者はこの切断装置の駆動に利用することができるその他の電気機械装置にいくらでも容易に想到することができよう。また、図示しないが、空気注入ノズル２８の付辺には、電源を手動取付工具１６に結合できるように電力連結部が設置されている。
【００２０】
手動取付工具１６は、帯状スペーサシーリング材１４を板ガラス１２の上に引き延ばして配置するために、一連のローラと案内部材とピンとを有する。図３に示す通り、前部ローラ３０をベースプレート２４の車軸上に装着することにより、前部ローラ３０が車軸の周りを自由に回転することができる。図１及び図４に示す通り、ベースプレート２４の反対側には、対応する第２の前部ローラ３０ａが設置されている。前部ローラ３０ａは、対を成す相手と同様に、ベースプレート２４の上に設置される車軸に装着され、同様に該前部ローラの車軸の周りに自由に回転することができる。図１にも示す通り、１組の後部ローラ３２、３２ａも備えられている。これらのローラも、ベースプレート２４に取付く車軸上に装着されている。
【００２１】
本発明の一実施形態において、手動取付工具１６は案内板５６に対して平行に方向付けされた一連の案内ローラ３６、３８、４０も有する。図１、図２に示す通り、前部案内ローラは案内板５６の前部に取付き、前部案内ローラ３６は車軸の周りに自由に回転する。図示の通り、前部案内ローラ３６はベースプレートに対して平行な向きに配置されている。言い換えると、前部案内ローラ３６は、前部及び後部ローラ３０、３０ａ、３２、３２ａの回転面に対して垂直な平面内で回転する。前部案内ローラ３６とは別に、中央案内ローラ３８及び後部案内ローラ４０を設けることができる。手動取付工具１６と板ガラス１２の端部間の接触及び間隔を適切に確保するために、少なくとも２つの案内ローラが利用される。中央案内ローラ３８は図５、図６に最もよく示される。図２に示されている後部案内ローラ４０は、案内板５６の後端に向けて設置され、その案内板はベースプレート２４に取り付けられている。これらのローラは、板ガラスに対する工具の位置を判断する。
【００２２】
図５、図６に示す通り、手動取付工具１６は、筐体に取り付けられ、概ね垂直方向を向くように下向きに延びる一連の位置決めピン４２、４２ａ、４３も含むことができる。１つの実施形態では、ピン４２、４２ａ、４３は筐体に取り付けられて、自由に回転することができる。さらにこれらのピンは、異なる厚さの帯状スペーサシーリング材を収容するために種々の厚さの高分子材料からできているスリーブで覆うことができる。従って、ピン４２、４２ａ、４３と、圧下ローラ５２と、正面位置決めローラ３４とは、帯状スペーサシーリング材１４を正確かつ均一に引き延ばすための案内路を形成する。案内路は、帯状材に角を容易に形成するために、帯状スペーサシーリング材を配置する際、利用者に手動取付工具１６の向きを変えることを可能にする。該案内路はまた、必要に応じて手動取付工具１６を帯状スペーサシーリング材から取外して帯状スペーサシーリング材を再配置することを可能にする。これは、利用者が帯状材の配置を部分的にのみ終了している場合に特に有利である。反対に、板ガラス１２に既に接着されている帯状スペーサシーリング材の上で手動取付工具１６の位置を容易に直すことができ、これにより帯状材の配置を完了させ、断熱ガラスユニットを形成する。
【００２３】
図５には、本発明の一実施形態による切断装置も示す。一実施例では、切断装置は、スロット又は刃ガイド４６内で板ガラス１２と概ね平行に前後動のできる、アンビル４８と接触する刃４４を備えている。刃を往復させるために空気供給又は他のなんらかの既知の手段によって作動する、刃作動つまみ又はボタン５０で切断装置を始動することができる。切断装置は、切断深さ変更始動ボタンも有することとしてもよい。本実施形態では、例えば、第１の作動ボタンを扱うことにより、帯状スペーサシーリング材１４は曲げて角を形成することができるように切欠きされる。帯状スペーサシーリング材１４を部分的に切ることにより切欠きが施される。この場合、切断刃４４はアンビルの手前で止まる。第２の作動ボタンを扱うと、切断刃４４は帯状スペーサシーリング材１４を完全に切断するためにさらに延びる。この切断は、帯状スペーサシーリング材１４の配置を完成するために断熱ガラスユニットの最後の角で行われる。
【００２４】
帯状スペーサシーリング材１４の配置をさらに補助するために、一実施形態では、手動取付工具は帯状スペーサシーリング材１４の取り付け中これに圧力をかけるための圧下ローラ５２を含む。図３、図５に示す通り、圧下ローラ５２は筐体の下面のスロットの中に部分的に収容される車軸を中心に回転する。圧下ローラ５２は前述の案内路の一部を形成する。調節可能な車軸又は軸は、最終的に圧下ローラ調節つまみ５４に接続する。圧下ローラ調節つまみを回転させることにより、圧下ローラ５２は圧下ローラ溝５２の中を上又は下に動かすことができる。圧下ローラはばね付勢されることにより、帯状スペーサシーリング材にかかる下向き圧力を概ね一定に維持しつつ、帯状スペーサシーリング材高さの小さなばらつきを吸収することができる。作動中、圧下ローラは帯状スペーサシーリング材１４に圧力を加えることにより、該帯状スペーサシーリング材を板ガラス１２に付着させる。
【００２５】
帯状スペーサシーリング材の位置決めと引き延ばしをさらに補助するために、手動取付工具は帯状スペーサシーリング材を板ガラスの端部から適切な距離に布設する手段を提供するための、調節可能な案内板５６も含む。案内ローラ３６、３８、４０の端部と板ガラス１２との接触を保つことにより、利用者は帯状スペーサシーリング材の板ガラスの端部又は周辺からの適切な間隔を制御することができる。
【００２６】
案内ローラ３６、３８、４０を調節するために、案内板取付けねじ５８、５８ａは緩められている。次に、案内板調節つまみ６０を回転させて、案内ローラ３６、３８、４０が板ガラス１２と目標の距離で接触するまで、案内板をベースプレートの底面を横切って移動させる。これにより帯状スペーサシーリング材は板ガラス１２の目標の位置に取り付けられる。一度目標の位置に到達したら、ねじ５８、５８ａを堅く締めて案内板５６を定位置に固定し、帯状スペーサシーリング材の取り付けを進めることができる。
【００２７】
筐体の正面には正面位置決めローラ３４が取り付けられている。一実施形態において、図１、図２に示す通り、正面位置決めローラ３４は、スロット内のねじ又はボルト等の調節可能な取付具６２を介して筐体に取り付けることができる。ねじ又はボルトを緩めると、正面位置決めローラ３４は取付具６２のスロット又はねじ溝の中を滑りながら動くことができる。いったん正面位置決めローラ３４の目標の高さが見つかると、ねじ又はボルトは取付具の外面と摩擦係合するように堅く締め付けられる。当然のことながら、当業者は正面位置決めローラの高さを調節できる他種の取付具を利用できることは容易に理解できよう。
【００２８】
本発明の手動取付工具１６は、利用者に帯状スペーサシーリング材１４の切欠くべき位置と角を形成すべき位置を警告する照準システムを有する。照準システムは、一つのレーザ又は複数のレーザ６６で作動する一組のレーザポート６４、６４ａを有するものとすることができる。さらに分かるように、レーザ６６はレーザ制御スイッチ６８によって作動される。制御スイッチ６８を扱うことによって、レーザ６６はオン状態になり、手動取付工具１６から少し離れた操作者から容易に見える指示点を投光するために、表示光線が対応するレーザポート６４、６４ａから発光される。この目的のためにレーザ以外の既知の光学ビームを利用することができる。
【００２９】
作動中、帯状材１４を正面位置決めローラ３４の下で位置決めピン４２、４２ａ、４３の間に挿入して圧下ローラ５２に接触させることにより、帯状スペーサシーリング材１４が板ガラス１２の上面に取り付けられる。利用者は次に、板ガラスの側面と係合する案内ローラ３６、３８、４０と共に前部ローラ３０、３０ａと、後部ローラ３２、３２ａによって支持される手動工具を転動させる。利用者は、帯状スペーサシーリング材１４の上面が正面位置決めローラ３４と係合するように、配置される帯状スペーサシーリング材１４を工具１６の上及び前に保持する。帯状スペーサシーリング材１４の取り付け中に、該帯状スペーサシーリング材は位置決めピン４２、４２ａ、４３によって横方向に、正面位置決めローラ３４によって縦方向に案内され、案内路を通って動き、該帯状スペーサシーリング材を板ガラス１２に固定するために帯状スペーサシーリング材１４に圧力を加える働きをする圧下ローラ５２と垂直方向に係合する。
【００３０】
照準システムは、手動取付工具１６が角に到着して、帯状スペーサシーリング材１４が切欠きを必要とするときを判断し、次に手動取付工具１６がどの位置で曲がる又は旋回する必要があるかを判断するために、レーザポート６４、６４ａから投光される表示光を利用者が見ることを可能にする。言い換えると、利用者に帯状スペーサシーリング材が切欠きすべき位置を知らせるために、第１のレーザポート６４は利用者が容易に見ることのできる表示光線を投光する。利用者は、第１の表示光と板ガラス１２の端部とを整列させ、角が９０度であるという条件で、帯状スペーサシーリング材１４を切欠くために刃作動ボタン５０を操作する。利用者は次に、第２レーザポート６４ａから投光される第２の表示光線が板ガラス１２の端部と整列するまで手動取付工具１６を帯状スペーサシーリング材１４に沿って動かす。この時点で、圧下ローラ５２の中心線は切欠きの真上に来ている。利用者は、帯状スペーサシーリング材１４に角を形成するために圧下ローラ５２の中心線を中心に手動取付工具１６を旋回させる。その後、この工程は板ガラスの次の側面で繰り返される。
【００３１】
特許法に基づき最良の形態及び好適な実施形態について説明したが、本発明の範囲はこれに限定されず、むしろ添付の請求の範囲によって規定される。本発明は上述にて特定の形態に関連して説明したが、本発明はさまざまな方法で改良及び定義することができ、下記の請求項の文言によるものを除いて解釈によって限定されるべきでないことは当業者に明らかである。
【図面の簡単な説明】
【００３２】
【図１】本発明の一実施形態により作業机の上に位置付けした板ガラスに帯状材を取付する際の側面図である。
【図２】図１に示した実施形態の斜視図である。
【図３】図１に示した実施形態の正面部分の側面図である。
【図４】図１に示した実施形態の正面部分のもう１つの側面図である。
【図５】図１に示した実施形態の筐体の正面図である。
【図６】図１に示した実施形態の筐体の裏面図である。
【符号の説明】
【００３３】
１０    作業机                        １２    板ガラス
１４    帯状スペーサシーリング材      １６    手動取付工具
１８    取っ手                        ２０    筐体
２２    取っ手支持材                  ２４    ベースプレート
２６    ベースプレートブラケット      ２８    空気注入ノズル
３０、３０ａ  前部ローラ              ３２、３２ａ  後ろローラ
３４    正面位置決めローラ            ３６    前部案内ローラ
３８    中央案内ローラ                ４０    後部案内ローラ
４２、４２ａ、４３  位置決めピン      ４４    刃
４６    刃ガイド                      ４８    アンビル
５０    刃作動つまみ（ボタン）        ５２    圧下ローラ
５４    圧下ローラ調節つまみ          ５６    案内板
５８、５８ａ  ねじ                    ６０    案内板調節つまみ
６２    取付具                        ６４、６４ａ  レーザポート
６６    レーザ                        ６８    制御スイッチ
【図１】
0004468176.tif 000002
【図２】
0004468176.tif 000003
【図３】
0004468176.tif 000004
【図４】
0004468176.tif 000005
【図５】
0004468176.tif 000006
【図６】
0004468176.tif 000007